【手続補正書】
【提出日】平成29年3月1日(2017.3.1)
【手続補正１】
【補正対象書類名】特許請求の範囲
【補正対象項目名】全文
【補正方法】変更
【補正の内容】
【特許請求の範囲】
【請求項１】
ゴルフクラブヘッドであって、
ヘッド前部、ヘッド後部、ヘッドヒール部、ヘッドトウ部、ヘッド上部及びヘッドソール部によって境界付けられるヘッド内部、並びにゴルフクラブシャフトを受け入れるための内径部を有し、前記内径部がホーゼル軸を有するホーゼル構造体を含むヘッド本体と、
ヘッド重心と、
前記ヘッド重心を通って前記ヘッドヒール部から前記ヘッドトウ部まで延びると共に、前記ゴルフクラブヘッドが地面に対してアドレス位置にあるときは前記地面と平行なヘッド水平軸と、
前記ホーゼル軸周りのホーゼル慣性モーメントと、
前記ヘッド水平軸周りの水平慣性モーメントであって、
前記水平慣性モーメントが前記ホーゼル慣性モーメントの３９％以上である前記水平慣性モーメントと、
打撃フェース中心点を有する打撃フェースと、
前記ヘッド重心を通って前記ヘッド上部から前記ヘッドソール部まで延びると共に、前記ゴルフクラブヘッドが前記地面に対して前記アドレス位置にあるときは前記地面に垂直なヘッド垂直軸と、を備え、
前記ヘッド本体はドライバー型本体を備え、
前記ゴルフクラブヘッドのロフト面は、前記打撃フェース中心点に接し、
前記ゴルフクラブヘッドの前面は、前記打撃フェース中心点を通って延びると共に前記ホーゼル軸と平行であり、
ヘッド奥行き面は、前記打撃フェース中心点を通って前記ヘッド水平軸と平行かつ前記ロフト面に垂直に延び、
ＣＧ高さの軸は、前記ヘッド重心を通って延びると共に、第１交点で前記ヘッド奥行き面と垂直に交差し、
前記ヘッド重心のヘッドＣＧ高さは、前記ヘッドＣＧ高さ軸に沿って、前記ヘッド重心と前記第１交点の間で測定され、
前記ヘッド重心のヘッドＣＧ深さは、前記前面と前記地面の交差部に位置する第２交点と、前記ヘッド垂直軸と前記地面の交差部に位置する第３交点の間で、前記地面に平行かつ前記前面に垂直に測定され、
前記ヘッドＣＧ高さは、約０ｍｍ〜約５．０８ｍｍであり、
前記ヘッドＣＧ深さは、約２５ｍｍ〜約１０２ｍｍであり、
前記ゴルフクラブヘッドのヘッド容量は、約４２０立方センチメートル〜約４７０立方センチメートルであり、
前記ゴルフクラブヘッドのヘッド重量は、約１８５グラム〜約２２５グラムである、ゴルフクラブヘッド。
【請求項２】
前記ホーゼル構造体、及び前記ホーゼル構造体にゴルフシャフトを調整可能に連結するように構成されたシャフトスリーブを含むホーゼル連結機構をさらに備える、請求項１に記載のゴルフクラブヘッド。
【請求項３】
前記ヘッド垂直軸周りの垂直慣性モーメントと、をさらに有し、
前記垂直慣性モーメントが前記ホーゼル慣性モーメントの５９％以上である、請求項１または請求項２に記載のゴルフクラブヘッド。
【請求項４】
前記垂直慣性モーメントが前記ホーゼル慣性モーメントの６０％以上である、請求項３に記載のゴルフクラブヘッド。
【請求項５】
前記垂直慣性モーメントが前記ホーゼル慣性モーメントの６５％以上である、請求項３に記載のゴルフクラブヘッド。
【請求項６】
前記垂直慣性モーメントが前記ホーゼル慣性モーメントの７０％以上である、請求項３に記載のゴルフクラブヘッド。
【請求項７】
前記垂直慣性モーメントが約４７００ｇ・ｃｍ２〜約６０００ｇ・ｃｍ２である、請求項３に記載のゴルフクラブヘッド。
【請求項８】
前記ホーゼル慣性モーメントが約７０００ｇ・ｃｍ２〜約１１０００ｇ・ｃｍ２であり、前記垂直慣性モーメントが約２８００ｇ・ｃｍ２〜約４３００ｇ・ｃｍ２である、請求項７に記載のゴルフクラブヘッド。
【請求項９】
前記ヘッド本体は、前記ヘッドソール部及び前記ヘッド後部の付近に配置され、前記ヘッドソール部の外部輪郭から少なくとも部分的に突出している錘構造体を備え、
前記錘構造体は、約２グラム〜約５０グラムの錘質量及び約１立方センチメートル〜約３０立方センチメートルの錘体積を有する、請求項１から請求項８のいずれか１項に記載のゴルフクラブヘッド。
【請求項１０】
前記ヘッド本体は、前記ヘッド本体の前記ヘッドソール部及び前記ヘッド後部の付近に配置された錘構造体を備え、
前記ヘッド重心と前記錘構造体の錘中心の間の錘距離は、約２５ｍｍ〜約１０２ｍｍである、請求項１から請求項８のいずれか１項に記載のゴルフクラブヘッド。
【請求項１１】
前記ヘッド本体は、前記ヘッド本体の前記ヘッドソール部及び前記ヘッド後部の付近に配置された錘構造体を備え、
時計盤は、１２時線、３時線、４時線、５時線、８時線及び９時線を含み、
前記ゴルフクラブヘッドが前記アドレス位置にあるとき、前記ゴルフクラブヘッドを下から見ると、前記１２時線は、前記打撃フェース中心点に位置合わせされていると共に、前記ロフト面と前記地面の間の前部交線に直交し、
前記時計盤は、前記ヘッド前部の前端と前記ヘッド後部の後端の間の中点において、前記１２時線に沿って中央に配置され、
前記３時線は、前記ヘッドヒール部に向かって延び、
前記９時線は、前記ヘッドトウ部に向かって延び、
前記錘構造体の縁部は、前記４時線と前記９時線の間に制限され、
前記錘構造体の重心は、前記５時線と前記８時線の間に配置されている、請求項１から請求項８のいずれか１項に記載のゴルフクラブヘッド。
【請求項１２】
錘構造体は、錘中心を有し、前記ヘッドソール部及び前記ヘッド後部の付近に配置されており、
錘中心垂直距離の軸は、前記錘中心と前記地面の間に延びると共に、前記ゴルフクラブヘッドが前記アドレス位置にあるときは前記地面に垂直であり、
前記錘中心の錘中心深さは、前記前面と前記地面の前記交点と、前記錘中心垂直距離の軸と前記地面の交点の間で前記地面と平行に測定され、
前記錘中心深さを前記ヘッドＣＧ深さで割ることによって定められる深さ比が２．５４未満である、請求項１から請求項８のいずれか１項に記載のゴルフクラブヘッド。
【請求項１３】
前記水平慣性モーメントが前記ホーゼル慣性モーメントの４０％以上である、請求項１から請求項１２のいずれか１項に記載のゴルフクラブヘッド。
【請求項１４】
前記水平慣性モーメントが前記ホーゼル慣性モーメントの４５％以上である、請求項１から請求項１２のいずれか１項に記載のゴルフクラブヘッド。
【請求項１５】
前記水平慣性モーメントが前記ホーゼル慣性モーメントの５０％以上である、請求項１から請求項１２のいずれか１項に記載のゴルフクラブヘッド。
【請求項１６】
前記水平慣性モーメントが約２８００ｇ・ｃｍ２〜約４３００ｇ・ｃｍ２である、請求項１から請求項７のいずれか１項に記載のゴルフクラブヘッド。
【請求項１７】
前記ホーゼル慣性モーメントが約７０００ｇ・ｃｍ２〜約１１０００ｇ・ｃｍ２である、請求項１から請求項７のいずれか１項に記載のゴルフクラブヘッド。
【請求項１８】
ゴルフクラブヘッドであって、
ヘッド前部、ヘッド後部、ヘッドヒール部、ヘッドトウ部、ヘッド上部及びヘッドソール部によって境界付けられるヘッド内部、並びにゴルフクラブシャフトを受け入れるための内径部を有し、前記内径部がホーゼル軸を有するホーゼル構造体を含むヘッド本体と、
ヘッド重心と、
前記ヘッド重心を通って前記ヘッド上部から前記ヘッドソール部まで延びると共に、前記ゴルフクラブヘッドが地面に対してアドレス位置にあるときは前記地面に垂直なヘッド垂直軸と、
前記ホーゼル軸周りのホーゼル慣性モーメントと、
前記ヘッド垂直軸周りの垂直慣性モーメントであって、
前記垂直慣性モーメントが前記ホーゼル慣性モーメントの５９％以上である前記水平慣性モーメントと、
打撃フェース中心点を有する打撃フェースと、
前記ヘッド重心を通って前記ヘッド上部から前記ヘッドソール部まで延びると共に、前記ゴルフクラブヘッドが前記地面に対して前記アドレス位置にあるときは前記地面に垂直なヘッド垂直軸と、を備え、
前記ヘッド本体はドライバー型本体を備え、
前記ゴルフクラブヘッドのロフト面は、前記打撃フェース中心点に接し、
前記ゴルフクラブヘッドの前面は、前記打撃フェース中心点を通って延びると共に前記ホーゼル軸と平行であり、
ヘッド奥行き面は、前記打撃フェース中心点を通って前記ヘッド水平軸と平行かつ前記ロフト面に垂直に延び、
ＣＧ高さの軸は、前記ヘッド重心を通って延びると共に、第１交点で前記ヘッド奥行き面と垂直に交差し、
前記ヘッド重心のヘッドＣＧ高さは、前記ヘッドＣＧ高さ軸に沿って、前記ヘッド重心と前記第１交点の間で測定され、
前記ヘッド重心のヘッドＣＧ深さは、前記前面と前記地面の交差部に位置する第２交点と、前記ヘッド垂直軸と前記地面の交差部に位置する第３交点の間で、前記地面に平行かつ前記前面に垂直に測定され、
前記ヘッドＣＧ高さは、約０ｍｍ〜約５．０８ｍｍであり、
前記ヘッドＣＧ深さは、約２５ｍｍ〜約１０２ｍｍであり、
前記ゴルフクラブヘッドのヘッド容量は、約４２０立方センチメートル〜約４７０立方センチメートルであり、
前記ゴルフクラブヘッドのヘッド重量は、約１８５グラム〜約２２５グラムである、ゴルフクラブヘッド。
【請求項１９】
前記垂直慣性モーメントが約４７００ｇ・ｃｍ２〜約６０００ｇ・ｃｍ２である、請求項１８に記載のゴルフクラブヘッド。
【請求項２０】
前記ホーゼル慣性モーメントが約７０００ｇ・ｃｍ２〜約１１０００ｇ・ｃｍ２である、請求項１８または請求項１９に記載のゴルフクラブヘッド。
【請求項２１】
ゴルフクラブヘッドの提供方法であって、
ヘッド前部、ヘッド後部、ヘッドヒール部、ヘッドトウ部、ヘッド上部及びヘッドソール部によって境界付けられるヘッド内部、並びにゴルフクラブシャフトを受け入れるための内径部を有し、前記内径部がホーゼル軸を有するホーゼル構造体を含むヘッド本体を提供すること、並びに
前記ホーゼル構造体に前記ゴルフクラブシャフトを連結すること、を含み、
ヘッド水平軸は、前記ゴルフクラブヘッドのヘッド重心を通って前記ヘッドヒール部から前記ヘッドトウ部まで延びると共に、前記ゴルフクラブヘッドが地面に対してアドレス位置にあるときは前記地面と平行であり、
ヘッド垂直軸は、前記ヘッド重心を通って前記ヘッド上部から前記ヘッドソール部まで延びると共に、前記ゴルフクラブヘッドが前記地面に対して前記アドレス位置にあるときは前記地面に垂直であり、
前記ヘッド本体を提供することは、前記ヘッド水平軸周りの水平慣性モーメントが前記ホーゼル軸周りのホーゼル慣性モーメントの３９％以上になるように設定すること、または、前記ヘッド垂直軸周りの垂直慣性モーメントが前記ホーゼル軸周りの前記ホーゼル慣性モーメントの５９％以上になるように設定することの少なくとも一方を含み、
打撃フェース中心点を有する打撃フェースを提供することをさらに含み、
ヘッド垂直軸は、前記ヘッド重心を通って前記ヘッド上部から前記ヘッドソール部まで延びると共に、前記ゴルフクラブヘッドが前記地面に対して前記アドレス位置にあるときは前記地面に垂直であり、
前記ヘッド本体はドライバー型本体を備え、
前記ゴルフクラブヘッドのロフト面は、前記打撃フェース中心点に接し、
前記ゴルフクラブヘッドの前面は前記打撃フェース中心点を通って延びると共に前記ホーゼル軸と平行であり、
ヘッド奥行き面は、前記打撃フェース中心点を通って前記ヘッド水平軸と平行かつ前記ロフト面に垂直に延び、
ＣＧ高さの軸は、前記ヘッド重心を通って延びると共に、第１交点で前記ヘッド奥行き面と垂直に交差し、
前記ヘッド重心のヘッドＣＧ高さは、前記ヘッドＣＧ高さ軸に沿って、前記ヘッド重心と前記第１交点の間で測定され、
前記ヘッド重心のヘッドＣＧ深さは、前記前面と前記地面の交差部に位置する第２交点と、前記ヘッド垂直軸と前記地面の交差部に位置する第３交点の間で、前記地面に平行かつ前記前面に垂直に測定され、
前記ヘッドＣＧ高さは、約０ｍｍ〜約５．０８ｍｍであり、
前記ヘッドＣＧ深さは、約２５ｍｍ〜約１０２ｍｍであり、
前記ゴルフクラブヘッドのヘッド容量は、約４２０立方センチメートル〜約４７０立方センチメートルであり、
前記ゴルフクラブヘッドのヘッド重量は、約１８５グラム〜約２２５グラムである、方法。
【請求項２２】
前記ヘッド本体を提供することは、前記ヘッドソール部及び前記ヘッド後部の付近に配置された錘構造体を提供することを含み、
前記錘構造体は、前記ヘッドソール部の外部輪郭から少なくとも部分的に突出しており、
前記錘構造体は、約２グラム〜約５０グラムの錘質量及び約１立方センチメートル〜約３０立方センチメートルの錘体積を有する、請求項２１に記載の方法。
【手続補正２】
【補正対象書類名】明細書
【補正対象項目名】００７２
【補正方法】変更
【補正の内容】
【００７２】
さらに、本明細書で開示された実施形態及び限定は、その実施形態及び／または限定が、（１）請求項において明示的に特許請求されておらず、（２）均等論の下で請求項中の明示的な要素及び／または限定の均等物であり、または潜在的な均等物である場合、公有の原則（ｄｏｃｔｒｉｎｅ  ｏｆ  ｄｅｄｉｃａｔｉｏｎ）の下で公共用として提供されることはない。
以下に、本実施例の特徴を列挙する。
（特徴１）
ゴルフクラブヘッドであって、
ヘッド前部、ヘッド後部、ヘッドヒール部、ヘッドトウ部、ヘッド上部及びヘッドソール部によって境界付けられるヘッド内部、並びにゴルフクラブシャフトを受け入れるための内径部を有し、前記内径部がホーゼル軸を有するホーゼル構造体を含むヘッド本体と、
ヘッド重心と、
前記ヘッド重心を通って前記ヘッドヒール部から前記ヘッドトウ部まで延びると共に、前記ゴルフクラブヘッドが地面に対してアドレス位置にあるときは前記地面と平行なヘッド水平軸と、
前記ホーゼル軸周りのホーゼル慣性モーメントと、
前記ヘッド水平軸周りの水平慣性モーメントと、を有し、
前記水平慣性モーメントが前記ホーゼル慣性モーメントの３９％以上である、ゴルフクラブヘッド。
（特徴２）
前記ホーゼル構造体、及び前記ホーゼル構造体にゴルフシャフトを調整可能に連結するように構成されたシャフトスリーブを含むホーゼル連結機構をさらに備える、特徴１に記載のゴルフクラブヘッド。
（特徴３）
前記ヘッド重心を通って前記ヘッド上部から前記ヘッドソール部まで延びると共に、前記ゴルフクラブヘッドが前記地面に対して前記アドレス位置にあるときは前記地面に垂直なヘッド垂直軸と、
前記ヘッド垂直軸周りの垂直慣性モーメントと、をさらに有し、
前記垂直慣性モーメントが前記ホーゼル慣性モーメントの５９％以上である、特徴１または特徴２に記載のゴルフクラブヘッド。
（特徴４）
前記垂直慣性モーメントが前記ホーゼル慣性モーメントの６０％以上である、特徴３に記載のゴルフクラブヘッド。
（特徴５）
前記垂直慣性モーメントが前記ホーゼル慣性モーメントの６５％以上である、特徴３に記載のゴルフクラブヘッド。
（特徴６）
前記垂直慣性モーメントが前記ホーゼル慣性モーメントの７０％以上である、特徴３に記載のゴルフクラブヘッド。
（特徴７）
前記垂直慣性モーメントが約４７００ｇ・ｃｍ２〜約６０００ｇ・ｃｍ２である、特徴３に記載のゴルフクラブヘッド。
（特徴８）
前記ホーゼル慣性モーメントが約７０００ｇ・ｃｍ２〜約１１０００ｇ・ｃｍ２であり、前記垂直慣性モーメントが約２８００ｇ・ｃｍ２〜約４３００ｇ・ｃｍ２である、特徴７に記載のゴルフクラブヘッド。
（特徴９）
前記ヘッド本体は、前記ヘッドソール部及び前記ヘッド後部の付近に配置され、前記ヘッドソール部の外部輪郭から少なくとも部分的に突出している錘構造体を備え、
前記錘構造体は、約２グラム〜約５０グラムの錘質量及び約１立方センチメートル〜約３０立方センチメートルの錘体積を有する、特徴１から特徴８のいずれか１項に記載のゴルフクラブヘッド。
（特徴１０）
前記ヘッド本体は、前記ヘッド本体の前記ヘッドソール部及び前記ヘッド後部の付近に配置された錘構造体を備え、
前記ヘッド重心と前記錘構造体の錘中心の間の錘距離は、約２５ｍｍ〜約１０２ｍｍである、特徴１から特徴８のいずれか１項に記載のゴルフクラブヘッド。
（特徴１１）
前記ヘッド本体は、錘中心を有し、前記ヘッドソール部及び前記ヘッド後部の付近に配置された錘構造体を備え、
ヘッド垂直軸は、前記ヘッド重心と前記地面の間に延びると共に、前記ゴルフクラブヘッドが前記アドレス位置にあるときは前記地面に垂直であり、
錘中心垂直距離の軸は、前記錘中心と前記地面の間に延びると共に、前記ゴルフクラブヘッドが前記アドレス位置にあるときは前記地面に垂直であり、
ヘッド重心（ＣＧ）垂直距離は、前記ヘッド垂直軸に沿って、前記ヘッド重心と前記地面の間で測定され、
錘中心垂直距離は、前記錘中心垂直距離の軸に沿って、前記ヘッド重心と前記地面の間で測定され、
前記錘中心垂直距離を前記ヘッドＣＧ垂直距離で割ることによって定められる垂直距離比が０．４４よりも大きい、特徴１から特徴８のいずれか１項に記載のゴルフクラブヘッド。
（特徴１２）
打撃フェース中心点を有する打撃フェースと、
前記ヘッド重心を通って前記ヘッド上部から前記ヘッドソール部まで延びると共に、前記ゴルフクラブヘッドが前記地面に対して前記アドレス位置にあるときは前記地面に垂直なヘッド垂直軸と、をさらに備え、
前記ヘッド本体はドライバー型本体で構成され、
前記ゴルフクラブヘッドのロフト面は、前記打撃フェース中心点に接し、
前記ゴルフクラブヘッドの前面は前記打撃フェース中心点を通って延びると共に前記ホーゼル軸と平行であり、
ヘッド奥行き面は、前記打撃フェース中心点を通って前記ヘッド水平軸と平行かつ前記ロフト面に垂直に延び、
ＣＧ高さの軸は、前記ヘッド重心を通って延びると共に、第１交点で前記ヘッド奥行き面と垂直に交差し、
前記ヘッド重心のヘッドＣＧ高さは、前記ヘッドＣＧ高さ軸に沿って、前記ヘッド重心と前記第１交点の間で測定され、
前記ヘッド重心のヘッドＣＧ深さは、前記前面と前記地面の交差部に位置する第２交点と、前記ヘッド垂直軸と前記地面の交差部に位置する第３交点の間で、前記地面に平行かつ前記前面に垂直に測定され、
前記ヘッドＣＧ高さは、約０ｍｍ〜約５．０８ｍｍであり、
前記ヘッドＣＧ深さは、約２５ｍｍ〜約１０２ｍｍであり、
前記ゴルフクラブヘッドのヘッド容量は、約４２０立方センチメートル〜約４７０立方センチメートルであり、
前記ゴルフクラブヘッドのヘッド重量は、約１８５グラム〜約２２５グラムである、特徴１から特徴８のいずれか１項に記載のゴルフクラブヘッド。
（特徴１３）
打撃フェース中心点を有する打撃フェースと、
前記打撃フェース中心点に接するロフト面と、をさらに備え、
前記ヘッド本体は、前記ヘッド本体の前記ヘッドソール部及び前記ヘッド後部の付近に配置された錘構造体を備え、
時計盤は、１２時線、３時線、４時線、５時線、８時線及び９時線を含み、
前記ゴルフクラブヘッドが前記アドレス位置にあるとき、前記ゴルフクラブヘッドを下から見ると、前記１２時線は、前記打撃フェース中心点に位置合わせされていると共に、前記ロフト面と前記地面の間の前部交線に直交し、
前記時計盤は、前記ヘッド前部の前端と前記ヘッド後部の後端の間の中点において、前記１２時線に沿って中央に配置され、
前記３時線は、前記ヘッドヒール部に向かって延び、
前記９時線は、前記ヘッドトウ部に向かって延び、
前記錘構造体の縁部は、前記４時線と前記９時線の間に制限され、
前記錘構造体の重心は、前記５時線と前記８時線の間に配置されている、特徴１から特徴８のいずれか１項に記載のゴルフクラブヘッド。
（特徴１４）
打撃フェース中心点を有する打撃フェースをさらに備え、
前記ヘッド本体は、錘中心を有し、前記ヘッドソール部及び前記ヘッド後部の付近に配置された錘構造体を備え、
前記ゴルフクラブヘッドの前面は前記打撃フェースの前記打撃フェース中心点を通って前記ホーゼル軸と平行に延び、
ヘッド垂直軸は、前記ヘッド重心と前記地面の間に延びると共に、前記ゴルフクラブヘッドが前記アドレス位置にあるときは前記地面に垂直であり、
錘中心垂直距離の軸は、前記錘中心と前記地面の間に延びると共に、前記ゴルフクラブヘッドが前記アドレス位置にあるときは前記地面に垂直であり、
前記ヘッド重心のヘッドＣＧ深さは、前記前面と前記地面の交差部にある交点と、前記ヘッド垂直軸と前記地面の交差部にある交点の間で、前記地面に平行かつ前記前面に垂直に測定され、
前記錘中心の錘中心深さは、前記前面と前記地面の前記交点と、前記錘中心垂直距離の軸と前記地面の交点の間で前記地面と平行に測定され、
前記錘中心深さを前記ヘッドＣＧ深さで割ることによって定められる深さ比が２．５４未満である、特徴１から特徴８のいずれか１項に記載のゴルフクラブヘッド。
（特徴１５）
前記水平慣性モーメントが前記ホーゼル慣性モーメントの４０％以上である、特徴１から特徴１４のいずれか１項に記載のゴルフクラブヘッド。
（特徴１６）
前記水平慣性モーメントが前記ホーゼル慣性モーメントの４５％以上である、特徴１から特徴１４のいずれか１項に記載のゴルフクラブヘッド。
（特徴１７）
前記水平慣性モーメントが前記ホーゼル慣性モーメントの５０％以上である、特徴１から特徴１４のいずれか１項に記載のゴルフクラブヘッド。
（特徴１８）
前記水平慣性モーメントが約２８００ｇ・ｃｍ２〜約４３００ｇ・ｃｍ２である、特徴１から特徴７のいずれか１項に記載のゴルフクラブヘッド。
（特徴１９）
前記ホーゼル慣性モーメントが約７０００ｇ・ｃｍ２〜約１１０００ｇ・ｃｍ２である、特徴１から特徴７のいずれか１項に記載のゴルフクラブヘッド。
（特徴２０）
ゴルフクラブヘッドであって、
ヘッド前部、ヘッド後部、ヘッドヒール部、ヘッドトウ部、ヘッド上部及びヘッドソール部によって境界付けられるヘッド内部、並びにゴルフクラブシャフトを受け入れるための内径部を有し、前記内径部がホーゼル軸を有するホーゼル構造体を含むヘッド本体と、
ヘッド重心と、
前記ヘッド重心を通って前記ヘッド上部から前記ヘッドソール部まで延びると共に、前記ゴルフクラブヘッドが地面に対してアドレス位置にあるときは前記地面に垂直なヘッド垂直軸と、
前記ホーゼル軸周りのホーゼル慣性モーメントと、
前記ヘッド垂直軸周りの垂直慣性モーメントと、を有し、
前記垂直慣性モーメントが前記ホーゼル慣性モーメントの５９％以上である、ゴルフクラブヘッド。
（特徴２２）
前記垂直慣性モーメントが約４７００ｇ・ｃｍ２〜約６０００ｇ・ｃｍ２である、特徴２１に記載のゴルフクラブヘッド。
（特徴２３）
前記ホーゼル慣性モーメントが約７０００ｇ・ｃｍ２〜約１１０００ｇ・ｃｍ２である、特徴２１または特徴２２に記載のゴルフクラブヘッド。
（特徴２４）
ゴルフクラブヘッドの提供方法であって、
ヘッド前部、ヘッド後部、ヘッドヒール部、ヘッドトウ部、ヘッド上部及びヘッドソール部によって境界付けられるヘッド内部、並びにゴルフクラブシャフトを受け入れるための内径部を有し、前記内径部がホーゼル軸を有するホーゼル構造体を含むヘッド本体を提供すること、並びに
前記ホーゼル構造体に前記ゴルフクラブシャフトを連結すること、を含み、
ヘッド水平軸は、前記ゴルフクラブヘッドのヘッド重心を通って前記ヘッドヒール部から前記ヘッドトウ部まで延びると共に、前記ゴルフクラブヘッドが地面に対してアドレス位置にあるときは前記地面と平行であり、
ヘッド垂直軸は、前記ヘッド重心を通って前記ヘッド上部から前記ヘッドソール部まで延びると共に、前記ゴルフクラブヘッドが前記地面に対して前記アドレス位置にあるときは前記地面に垂直であり、
前記ヘッド本体を提供することは、前記ヘッド水平軸周りの水平慣性モーメントが前記ホーゼル軸周りのホーゼル慣性モーメントの３９％以上になるように設定すること、または、前記ヘッド垂直軸周りの垂直慣性モーメントが前記ホーゼル軸周りの前記ホーゼル慣性モーメントの５９％以上になるように設定することの少なくとも一方を含む、方法。
（特徴２５）
前記ヘッド本体を提供することは、前記ヘッドソール部及び前記ヘッド後部の付近に配置された錘構造体を提供することを含み、
前記錘構造体は、前記ヘッドソール部の外部輪郭から少なくとも部分的に突出しており、
前記錘構造体は、約２グラム〜約５０グラムの錘質量及び約１立方センチメートル〜約３０立方センチメートルの錘体積を有する、特徴２４に記載の方法。